(57)【要約】【課題】  必要に応じてテーブルとソファーのような長椅子を使い分けることができる座卓兼用家具を提供しようとする。【解決手段】  天板を備える置き具と、背部と座部を有する座具とを含み、該座具の裏底面を該天板の上面と相対させて該座具を該上面に載置して成り、該座具を該置き具から下ろすと、該置き具が座卓として該座具が座椅子として使用される座卓兼用家具であり、前記座具が複数のユニット座具を含んで成る座卓兼用家具である。【選択図】  図１ 
2005152299.tif 000002
【特許請求の範囲】
【請求項１】
天板を備える置き具と、背部と座部を有する座具とを含み、該座具の裏底面を該天板の上面と相対させて該座具を該上面に載置して成り、該座具を該置き具から下ろすと、該置き具が座卓として該座具が座椅子として使用される座卓兼用家具。
【請求項２】
前記天板と前記座具とを係合する係合部を有し、該係合部で前記天板に係合された前記座具が上方に移動させられることにより前記天板から分離可能とされた請求項１に記載の座卓兼用家具。
【請求項３】
前記座具が前記上面に載置されたとき、床から前記座部の座面までの高さが４０ｃｍから５０ｃｍである請求項１又は２に記載の座卓兼用家具。
【請求項４】
前記座具が複数のユニット座具を含んで成る座具である請求項１乃至３のいずれかに記載の座卓兼用家具。
【請求項５】
前記天板の下面にヒーターを設けた請求項１乃至４のいずれかに記載の座卓兼用家具。
【請求項６】
前記置き具が、長さが可変の脚を備える請求項１乃至５のいずれかに記載の座卓兼用家具。
【発明の詳細な説明】
【技術分野】
【０００１】
本発明は、必要に応じて座卓とソファーを使い分けることができる座卓兼用家具に関する。
【背景技術】
【０００２】
狭い部屋では配置する家具を選別する必要がある。例えば、座卓や炬燵を配置した場合、ソファーが置けなくなる。ソファーを置いた場合、座卓や炬燵を置くことができなくなる。
【０００３】
また、普段は部屋を広々と使って、必要に応じて座卓を用意することを希望する人もいる。反対に、普段座卓を使用していて必要に応じてソファーのような長椅子を用意することを希望する場合もある。
【０００４】
以上の場合、いずれも座卓や長椅子を収納しておくための部屋が別に必要になる。部屋の多い住宅では可能であるが、一般的に部屋の数は限られている。したがって、部屋に配置する家具は限られ、部屋に配置する家具を選択する必要がある。しかし、選択されなかった家具が必要になる場合もある。
【０００５】
テーブルの天板と椅子を連結した家具が開示されている（例えば、特許文献１参照。）が、その天板を椅子から外して座卓として使用する構成とはなっていないので、この家具では、必要に応じて座卓を用意したり、普段座卓を使用していて必要に応じてソファーのような長椅子を用意する上述の目的は達成できない。
【特許文献１】特開２００２−１９１４５４号公報（特許請求の範囲）
【発明の開示】
【発明が解決しようとする課題】
【０００６】
本発明の目的は、必要に応じて座卓とソファーのような長椅子を使い分けることができる座卓兼用家具を提供することにある。
【課題を解決するための手段】
【０００７】
本発明の要旨とするところは、天板を備える置き具と、背部と座部を有する座具とを含み、該座具の裏底面を該天板の上面と相対させて該座具を該上面に載置して成り、該座具を該置き具から下ろすと、該置き具が座卓として該座具が座椅子として使用される座卓兼用家具であることにある。
【０００８】
前記座卓兼用家具は、前記天板と前記座具とを係合する係合部を有し、該係合部で前記天板に係合された前記座具が上方に移動させられることにより前記天板から分離可能とされ得る。
【０００９】
前記座卓兼用家具においては、前記座具が前記上面に載置されたとき、床から前記座部の座面までの高さが４０ｃｍから５０ｃｍであり得る。
【００１０】
前記座具は、複数のユニット座具を含んで成る座具であり得る。
【００１１】
前記座卓兼用家具においては、前記天板の下面にヒーターが設けられ得る。
【００１２】
前記置き具は、長さが可変の脚を備え得る。
【発明の効果】
【００１３】
本発明によると、一つの家具が、ソファーのような長椅子として、あるいは座卓と座椅子のセットとして使用できる。又は炬燵と座椅子のセットとして使用できる。必要に応じてそれらを使い分けることができる。したがって、複数の家具をそろえたことと同じになる。かつ、収納のスペースが節約できる。
【００１４】
本発明の座卓兼用家具は、天板の上面の輪郭の形状とクッションの裏底面の輪郭の形状を同じにすることによって、クッションを天板上に載せたときに、天板とクッションの合わせ目に不必要な段差が無く、ソファーとしての見栄えがよい。
【００１５】
本発明の座卓兼用家具は、クッション等の座具を複数に分割できることによって、座具を天板上に載せるときに楽である。また、クッション等の座具を床に配置したとき、座卓や炬燵の各辺にクッション等の座具を座椅子として置くことができる。
【００１６】
本発明の座卓兼用家具は、特に、クッション等の座具を４つに等分割することによって、クッション等の座具を座椅子として床に配置したとき、座卓や炬燵の４辺全てにそれぞれ同型の座椅子を配置できる。
【００１７】
本発明の座卓兼用家具は、クッション等の座具の向きを変えることによって、ソファの片端、両端、もしくは中央等好みの位置に肘掛部を、ソファが使用される状況に応じて設けることができる。
【００１８】
本発明の座卓兼用家具は、天板の下面にヒーターを設けることによって、置き具を炬燵として使用できる。また、ヒーターを取り外し可能なようにすることによって、置き具を季節によって座卓または炬燵を使い分けることができる。
【００１９】
本発明の座卓兼用家具は、置き具の脚の長さをかえられることによって、座卓や炬燵として使用したときと、ソファーのような長椅子として使用したときの最適の高さにできる。
【００２０】
本発明の座卓兼用家具は、床から座面（座部の上面）までの高さが３０ｃｍから６０ｃｍにすることによって、ソファーのような長椅子として使用したときに、座りやすい高さになる。
【００２１】
本発明の座卓兼用家具は、置き具と座具の着脱が容易である。
【発明を実施するための最良の形態】
【００２２】
本発明の座卓兼用家具の実施形態について、図面を使用して説明する。図１に示すように、本発明の座卓兼用家具２は、置き具８と座具８とを含んで構成される。置き具８は天板４、床に立ち上げた天板４を支持する脚６から成る。座具１０は置き具８の天板４上に載置される。座具１０は座部１２および背部１４を有し、クッション１６から成る。座具１０は、座具１０の裏底面１１を天板４の上面１３と相対させて、置き具８上に載置されている。クッション１６は、スポンジ、弾性フォーム、詰め物、ばね等のクッション材を主体にして形成される。クッション１６は、布地、皮等のシートで被覆されて用いられる場合が多い。
【００２３】
座具１０は幅方向に長く、数人が横並びで座ることができる幅を有するものである。本明細書においては、座具は、数人が横並びで座ることができる幅を有するものを含めて、座部および背部を有して人が座るときに用いるものと定義する。
【００２４】
本発明の座卓兼用家具２は、天板４上に座具１０（クッション１６）を載せたときに，数人が横並びで座ることができる長椅子やソファーとして使用できる。床にクッション１６を載置したときは、置き具８を座卓として、座具１０を座椅子として、座卓と座椅子のセットとして使用できる。
【００２５】
座具１０（クッション１６）を天板４上に配置したとき、床から座部１２の座面２７（座部１２の上側の面）までの高さＨが３０ｃｍから６０ｃｍであることが好ましい。これは、ソファーとして使用したときに、座り心地がよい高さである。Ｈが４０〜５０ｃｍであることが更に好ましい。Ｈが４３〜４７ｃｍであることが最も好ましい。
【００２６】
天板４の上面１３と座具１０（クッション１６）の裏底面１１とは輪郭の形状が略同じである。したがって、天板上に座具１０（クッション１６）を載せたときに、互いの合わせ目に異常なでっぱりや段差がなく、両者が合体してできた座卓兼用家具２には一体感がある。したがって、本発明の座卓兼用家具２をソファーとして使用したときに見栄えがよい。
【００２７】
座具１０が、背部１４の裏側面１５を天板４の上面１３と相対させて、置き具８上に載置される場合は、天板４の上面１３と座具１０の裏側面１５とが輪郭の形状が略同じであることが好ましい。
【００２８】
天板４の上面１３及び座具１０（クッション１６）の裏底面１１はそれぞれ全面にわたって平らであってもよいが、図２に示すように、それぞれの縁部に段差が設けられてもよい。図２の断面図において、座具１０ｃ（クッション１６ｃ）の裏底面１１ｃの縁部に裏底面１１ｃを囲んで縁部を切り欠くような段差部４０が設けられ、天板４ｃの上面１３ｃの縁部に縁部に沿って上面１３ｃを囲む突条状の段差部４２が設けられている。段差部４０に囲まれ座具１０（クッション１６）の裏底面１１ｃの盛り上がった部分を、突条状の段差部４２に囲まれた上面１３ｃの部分に嵌め込んで、座具１０ｃ（クッション１６ｃ）を上面１３ｃに載置する。このような嵌め込みの態様により、座具１０ｃ（クッション１６ｃ）が上面１３ｃの上を滑って位置がずれたり落下したりすることを防止出来る。
【００２９】
更に、このような落下や位置ずれを防止する他の態様としては、図３に示すように、座具１０ｄ（クッション１６ｄ）の裏底面１１ｄが外側（図面視下側）に角錐状に僅かに突出する角錐状突起部４４が形成され、天板４ｄの上面１３ｄに角錐状に僅かに図面視下側に陥没する角錐状陥没部４６が形成された態様が挙げられる。角錐状突起部４４を陥没部４６に嵌め込むことにより、座具１０ｄ（クッション１６ｄ）が上面１３ｄに安定して載置される。なお、破線５０は裏底面１１ｄ、上面１３ｄの縁に張られた仮想の平面を示す。
【００３０】
図２、図３に示す態様においては、座具を天板の上面に安定して載置するための特別な部材を必要とせず、又座具や天板に複雑な加工を施す必要がないため、座具（クッション）や天板の製作が容易であり、かつ余分な部材や加工部分が見えて座卓兼用家具の外観が損なわれることがない。
【００３１】
クッション１６は図４に示すような複数のユニット座具１８に分割できる。ユニット座具１８は、ユニット座具座部２２とユニット座具背部２４とを有する。クッション１６は、例えば、４つの、ユニットクッション１７から成るユニット座具１８に分割できる。ユニットクッション１７は、スポンジ、弾性フォーム、詰め物、ばね等のクッション材を主体に含んで形成される。ユニットクッション１７は、布地、皮等のシートで被覆されて用いられる場合が多い。ユニット座具１８（ユニットクッション１７）同士は面ファスナーやホック等を用いて着脱自在に連結されていてもよい。
【００３２】
図１に示す座卓兼用家具２のように、座具１０が、４個のユニット座具１８（ユニットクッション１７）から構成されている場合は、クッション１６を床に配置する態様のうちのひとつとして、置き具８の４つの各辺全てにユニット座具１８（ユニットクッション１７）を１個づつ配置する態様を実現することができる。他の態様としては、ユニット座具１８（ユニットクッション１７）を２個づつ横並びに接して配置してもよい。４個のユニット座具１８（ユニットクッション１７）を横並びに接して並べて、横長の座椅子として用いることもできる。
【００３３】
ユニットクッション１７は図５に示すように床上に縦長に載置して座椅子１９として使用することも出来る。ユニット座具１８（図４）のユニット座具座部２２とユニット座具背部２４は、座椅子１９のユニット座具背部３３とユニット座具座部３５に相当する。
【００３４】
図６の座卓兼用家具２ａに示すように、座具１０ａ（クッション１６ａ）は１人で座る幅を有するものであってもよい。
【００３５】
図７の座卓兼用家具２ｂに示すように，天板４の上面には肘掛具２５から成る肘掛部２６を設けてもよい。肘掛具２５は肘掛クッション２８から成り、ユニット座具２２とともに天板４の上面に載置される。肘掛クッション２８とユニット座具２２とを全部あわせて構成されるクッション１６ｂの裏底面は、天板４の上面と輪郭が同じ形状となっている。この態様は、ユニット座具２２と同型のクッション体を肘掛クッションとしてユニット座具２２と逆向きに用いても実現される。
【００３６】
このように、ユニット座具２２の向きを場合に応じて変えることができる。図１に示すようにユニット座具２２の向きを全て同じにすれば、数人が一度に座れるソファとなり、図７の座卓兼用家具２ｂに示すように１つの端部のユニット座具２２の向きを変えて肘掛クッション２８とすれば少人数がゆったりと座る、肘掛クッション付きのソファとなり、更に、両端部のユニット座具の向きを変えてそれぞれ肘掛クッションとすれば、１人又は少人数が更にゆったりと座ることのできる、両側に肘掛クッションが付いたソファとなる。肘掛クッションは、ソファの中央部に配置されてもよい。このように、本発明の座卓兼用家具は、肘掛の位置を、座るひとの人数や間柄等の状況に応じて、変えることの出来るソファーを提供できる。
【００３７】
このような態様を実現するためには、ユニット座具２２は、図４に示されるような、幅が同じ２個の立方体又は直方体が連接して側面がくの字形をなす形状のクッション体から成ることが好ましい。
【００３８】
本発明の座卓兼用家具においては、天板４の下面にヒーターを設けても良い。ヒーターを設けることによって、座卓が炬燵として使用可能になる。必要なときにヒーターを設けられるように、ヒーターが付け外し可能なようにしても良い。ヒーターは、遠赤外線を発生する使用するヒーターが好ましい。このようにして、本発明の座卓兼用家具は、夏に座卓として使用でき、冬に炬燵として使用できる。更に炬燵と座椅子のセットとして使用できる。
【００３９】
本発明の座卓兼用家具は、脚６が折りたたみできるものであってもよい。あるいは、脚６が長さを変えることができるものであってもよい。長さの異なる複数の脚を用意し、取り替えることによって、脚の長さを変える態様であってもよい。または、１つの脚を複数の筒状体で構成し、複数の筒状体は、一の筒状体に他の筒状体が収納されるようにし、一の筒状体内部から他の筒状体をスライドさせる。このようにして、脚６の長さを調節する態様であってもよい。
【００４０】
更に、図８に示すように、脚６ｅが天板４の下面に直接固定された基脚６０と着脱脚６２とから成り、基脚６０の下端部６６が着脱脚６２の上面の嵌合孔６８に着脱自在に嵌入されるものであってもよい。
【００４１】
又、図９に示すように、脚６ｆが天板４の下面に直接固定された基脚６０ｆと着脱脚６２ｆとから成り、基脚６０ｆの下端面に螺子孔７０が設けられ、着脱脚６２ｆの上面に設けられた螺子状突起７２を螺子孔７０に捩じ込んで基脚６０ｆと着脱脚６２ｆとが着脱自在に結合されるものであってもよい。
【００４２】
本発明においては、置き具８と、その上に載置した座具１０とを、不図示の係止具を用いて係止してもよい。係止することにより、載置した座椅子がずれにくくなる。係止具は置き具８に装着したフックと、座椅子に装着した被係止子とから成るものであってもよい。係止具は座具１０の側面側や後面側に備えられることが好ましい。
【００４３】
更に、本発明においては、置き具８ｆと、その上に載置した座具１０ｆとが図１０に示す状態で係止されてもよい。図１０に示す座卓兼用家具２ｆは、天板４ｆと座具１０ｆとを係合する係合部５０を有し、天板１０ｆに係合された座具１０ｆを持ち上げて上方に移動させると、座具１０ｆが天板１０ｆから容易に分離できる。
【００４４】
係合部５０は座具１０ｆの下面の周縁５４と、天板４ｆの周縁から上方に突出して天板４ｆの周縁を一巡する周壁５２から構成され、置き具８ｆに載置された座具１０ｆの周縁５４が周壁５２の内側に嵌まって係合する。
【００４５】
図１０に示す状態で係合された座具１０ｆは、天板４ｆの面方向（水平方向）のスライドの動きが周壁５２により拘束されるので座具１０ｆは置き具８ｆに安定して載置されるとともに、座具１０ｆを持ち上げることにより、置き具８ｆと座具１０ｆとを容易に分離できる。又、座具１０ｆを天板４ｆの所定の位置に載置するだけで極めて容易に係合がなされる。
【００４６】
又更に、本発明においては、置き具８ｇと、その上に載置した座具１０ｇとが図１１に示す状態で係止されてもよい。図１１に示す座卓兼用家具２ｇも、天板４ｇと座具１０ｇとを係合する係合部５０ｇを有し、天板１０ｇに係合された座具１０ｇを持ち上げて上方に移動させると、座具１０ｇが天板１０ｇから容易に分離できる。
【００４７】
係合部５０ｇは天板４ｇの下面の周縁５４ｇと、座具１０ｇの周縁から下方に突出して座具１０ｇの周縁を一巡する周壁５２ｇから構成され、周縁５４ｇが置き具８ｇに載置された座具１０ｇの周壁５２ｇの内側に嵌まって係合する。
【００４８】
図１１に示す状態で係合された座具１０ｇも、天板４ｇの面方向（水平方向）のスライドの動きが周壁５２ｇにより拘束されるので座具１０ｇは置き具８ｇに安定して載置されるとともに、座具１０ｇを持ち上げることにより、置き具８ｇと座具１０ｇとを容易に分離できる。又、座具１０ｇを天板４ｇの所定の位置に載置するだけで極めて容易に係合がなされる。
【００４９】
更に又、本発明においては、置き具８ｈと、その上に載置した座具１０ｈとが図１２に示す状態で係止されてもよい。図１２に示す座卓兼用家具２ｈも、天板４ｈと座具１０ｈとを係合する係合部５０ｈを有し、天板１０ｈに係合された座具１０ｈを持ち上げて上方に移動させると、座具１０ｈが天板１０ｈから容易に分離できる。
【００５０】
係合部５０ｈは天板４ｈの下面の臍穴５４ｈと、座具１０ｈの周縁隅部から下方に突出した突起５２ｈから構成され、突起５２ｈが臍穴５４ｈに嵌まって置き具８ｈと、その上に載置した座具１０ｈとが係合する。
【００５１】
図１２に示す状態で係合された座具１０ｈも、天板４ｈの面方向（水平方向）のスライドの動きが突起５２ｈと臍穴５４ｈにより拘束されるので座具１０ｈは置き具８ｈに安定して載置されるとともに、座具１０ｈを持ち上げることにより、置き具８ｈと座具１０ｈとを容易に分離できる。又、座具１０ｈを天板４ｈの所定の位置に載置するだけで極めて容易に係合がなされる。
【００５２】
本発明の座卓兼用家具においては、座卓の天板上に配置するものは、クッション性が少ない座具であってもよい。木製等でクッション性がない座具であってもよい。このような座具は座布団状のクッションシートを併用して使用することが多い。
【００５３】
以上のように、本発明の座卓兼用家具は、ソファーとして、または座卓と座椅子のセットとして使用できる。必要に応じて使い分けることができ、狭い部屋の所有者であっても、ソファーや座卓や座椅子を所有できる。
【００５４】
その他、本発明は、主旨を逸脱しない範囲で当業者の知識に基づき種々なる改良、修正、変更を加えた態様で実施できるものである。
【図面の簡単な説明】
【００５５】
【図１】本発明の座卓兼用家具の構成を示す斜視図である。
【図２】本発明の座卓兼用家具における置き具と座具との係合の態様を示す断面図である。
【図３】本発明の座卓兼用家具における置き具と座具との係合の他の態様を示す断面図である。
【図４】図１の座卓兼用家具に用いられるユニット座椅子を示す斜視図である。
【図５】図１の座卓兼用家具に用いられるユニット座椅子を床上に縦長に載置してユニット座椅子として使用する態様を説明する斜視図である。
【図６】本発明の他の態様の座卓兼用家具の構成を示す斜視図である。
【図７】本発明の更に他の態様の座卓兼用家具の構成を示す斜視図である。
【図８】本発明の座卓兼用家具の脚部の構成の一例を示す断面図である。
【図９】本発明の座卓兼用家具の脚部の構成の他の一例を示す断面図である。
【図１０】本発明の更に他の態様の座卓兼用家具の構成を説明する斜視説明図である。
【図１１】本発明の又更に他の態様の座卓兼用家具の構成を示し、図１１（ａ）は側面断面図、図１１（ｂ）は正面断面図である。
【図１２】本発明の図１１とは異なる態様の座卓兼用家具の構成を示し、図１２（ａ）は側面断面図、図１２（ｂ）は正面断面図である。
【符号の説明】
【００５６】
２、２ａ、２ｂ、２ｃ、２ｆ、２ｇ、２ｈ：座卓兼用家具
４、４ｃ、４ｄ、４ｆ、４ｇ、４ｈ：天板
６、６ｅ、６ｆ：脚  
８、８ｆ、８ｇ、８ｈ：置き具
１０、１０ａ、１０ｃ、１０ｄ、１０ｆ、１０ｇ、１０ｈ：座具
１１、１１ｃ、１１ｄ：裏底面
１２：座部
１３、１３ｃ、１３ｄ：上面
１４：背部
１５：裏側面
１８、２２：ユニット座具
２５：肘掛具
２７：座面
【図１】
2005152299.tif 000003
【図２】
2005152299.tif 000004
【図３】
2005152299.tif 000005
【図４】
2005152299.tif 000006
【図５】
2005152299.tif 000007
【図６】
2005152299.tif 000008
【図７】
2005152299.tif 000009
【図８】
2005152299.tif 000010
【図９】
2005152299.tif 000011
【図１０】
2005152299.tif 000012
【図１１】
2005152299.tif 000013
【図１２】
2005152299.tif 000014